(57)【要約】【課題】ＩＣカードと生体認証機、特に血管認証機を設けることにより、より確実に本人を認識できることにより、データの外部流出及び部外者によるデータの改ざんを防止できるデータ保護システムを提供する。【解決手段】生体認証機とＩＣカードリーダーとからなる認証装置をパーソナルコンピュータに接続してなることを特徴とする。【選択図】　図１
2004118809.tif 000002
【特許請求の範囲】
【請求項１】
生体認証機とＩＣカードリーダーとからなる認証装置をパーソナルコンピュータに接続してなることを特徴とするデータ保護システム。
【請求項２】
生体認証機が、血管を認証する機器であることを特徴とする請求項１記載のデータ保護システム。
【請求項３】
認証装置の電源をＯＮし、パーソナルコンピュータの電源をＯＮにし、ＩＣカードをＩＣカードリーダーに挿入し、指を生体認証機に入れ、本人かどうかをチェックし、パーソナルコンピュータを起動させ、必要な処理をし、仕事中において、離席する場合、一定時間未満の場合はパーソナルコンピュータの画面をセーブさせ、再度ＩＣカードをＩＣカードリーダーに挿入すると利用可能となると共に、一定時間以上の場合はソフトを停止させ、再度ソフトを起動する場合、ＩＣカードをＩＣカードリーダーに挿入し、指を再度生体認証機に入れ、本人かどうかチェックし、本人と確認できれば、ソフトが起動する請求項１又は２記載のデータ保護システム。
【請求項４】
上記一定時間を、１０分とすることを特徴とする請求項３記載のデータ保護システム。
【発明の詳細な説明】
【０００１】
【発明の属する技術分野】
本発明は、パーソナルコンピュータ（データサーバー）データの外部流出及び部外者によるデータ改ざんを防止するためのデータ保護システムに関するものである。
【０００２】
【従来の技術】
現在、パーソナルコンピュータ（データサーバー）データの流出や部外者によるデータ改ざんを防止する手法として、パーソナルコンピュータに指紋認証装置を接続して使用しているのが主流である。
また、最近の住民基本台帳ネットワーク（通称：住基ネット）におけるデータトラブルは何らデータ保護システムを導入しておらず、今後部外者によるデータの持ち出し等の問題が指摘されている。
【０００３】
特に、上記前者における指紋認証装置では、指先に傷があったり、他人の指紋を転写し、自分の指に貼り付け、本人になりすましたり偽造が横行している。
また、精度を上げようとすると本人なのに本人ではない認識をするトラブルも発生している。
【０００４】
【発明が解決しようとする課題】
本発明は、上記の問題点に鑑みなされたもので、ＩＣカードと生体認証機、特に血管認証機を設けることにより、より確実に本人を認識できることにより、データの外部流出及び部外者によるデータの改ざんを防止できるデータ保護システムを提供することを目的とする。
【０００５】
【課題を解決するための手段】
上記課題を解決するための手段として、生体認証機とＩＣカードリーダーとからなる認証装置をパーソナルコンピュータに接続してなること。また、生体認証機が、血管を認証する機器であること。さらに、認証装置の電源をＯＮし、パーソナルコンピュータの電源をＯＮにし、ＩＣカードをＩＣカードリーダーに挿入し、指を生体認証機に入れ、本人かどうかをチェックし、パーソナルコンピュータを起動させ、必要な処理をし、仕事中において、離席する場合、一定時間未満の場合はパーソナルコンピュータの画面をセーブさせ、再度ＩＣカードをＩＣカードリーダーに挿入すると利用可能となると共に、一定時間以上の場合はソフトを停止させ、再度ソフトを起動する場合、ＩＣカードをＩＣカードリーダーに挿入し、指を再度生体認証機に入れ、本人かどうかチェックし、本人と確認できれば、ソフトが起動する。その上、上記一定時間を、１０分とすることを特徴とする。
【０００６】
【発明の実施の形態】
以下、本発明によるデータ保護システムを図面に基づき詳細に説明する。
データ保護システム１は、血管を認証する生体認証機２ａとＩＣカードリーダー２ｂとからなる認証装置２を、パーソナルコンピュータ３に接続してなるものである。
【０００７】
上記生体認証機２ａは、手の指Ｕ又は手の平よりＬＥＤｌより赤外線を照射し、指Ｕの筋肉を通過させる。
つぎに、赤外線は血管に吸収され、赤外線フィルターＳＦを介してＣＣＤカメラＫに映像としてデータを取り込み、この映像を予め登録された血管パターンと照合して、一致すれば本人と見なすものである。
【０００８】
つぎに、上記データ保護システム１のシステムの流れについて説明する。
認証装置２の電源をＯＮし、パーソナルコンピュータ３の電源をＯＮする。
ＩＣカードをＩＣカードリーダー２ｂに挿入する。
指Ｕを生体認証機２ａに入れ、本人かどうかをチェックする。（例えば必要に応じて２回繰り返す。）
パーソナルコンピュータ３を起動させ、必要な処理（仕事）をする。
仕事中において、離席する場合ＩＣカードを抜き取り、１０分未満の場合はパーソナルコンピュータ３の画面をセーブさせ、再度ＩＣカードをＩＣカードリーダー２ｂに挿入すると利用可能となる。
なお、１０分以上の場合はソフトを停止させ、再度ソフトを起動する場合、ＩＣカードをＩＣカードリーダー２ｂに挿入し、指Ｕを再度生体認証機２ａに入れ、本人かどうかチェックする。
本人と確認できれば、ソフトが起動する。
【０００９】
上記のようなシステムにおいて、予め登録する者は組織内で決めておき、その者のみが使用できるものとする。
また、ＩＣカードに生体認証データを登録しておくと、ＩＣカードを紛失した場合で、他人が使用してもデータが一致しないため使用できず、セキュリティ効果が高い。
【００１０】
さらに、ＩＣカード内には、ＩＣコード（住基コード等）、生体情報、履歴データ等を入力してなるものとする。
【００１１】
上記実施例において、生体認証機は、血管以外のタイプのものも一考である。
また、離席の時間は必要に応じて設定すれば良い。
さらに、操作したデータ内容等もデータとして記憶し、後日データが流出した場合でも、過去のデータを検索する事により追跡可能とし、作業者（使用者）のモラルの低下防止や事業所の信頼確保が計れるものである。
【００１２】
【発明の効果】
１）、ＩＣカードと生体認証機によるダブルチェックにより、データの外部流出
や部外者によるデータ改ざん等を防止することができる。
２）、生体認証機として血管を認証する機器を使用することにより、より確実に
本人を認識できる。
３）、一定時間（１０分未満）離席した場合、パーソナルコンピュータの画面をセーブし、ＩＣカードをＩＣカードリーダーに挿入すれば、再度立ち上げ利用
でき、短時間の離席ならすぐに立ち上げて仕事を継続できる。
４）、一定時間（１０分以上）離席した場合、部外者によるデータ改ざん等も考えられるため、スタート時と同様、ＩＣカードを挿入すると共に、生体認証機にて本人かどうかをチェックし、ソフトを再起動でき、セキュリティ効果が高
い。
【図面の簡単な説明】
【図１】本発明の一実施例を示すデータ保護システムの構成図。
【図２】本発明の一実施例を示すデータ保護システムの生体認証機の構成図。
【図３】本発明の一実施例を示すデータ保護システムのフローチャート図。
【符号の説明】
１−−−データ保護システム
２−−−認証装置
２ａ−−生体認証機
２ｂ−−ＩＣカードリーダー
３−−−パーソナルコンピュータ
【図１】
2004118809.tif 000003
【図２】
2004118809.tif 000004
【図３】
2004118809.tif 000005